(57)【要約】【課題】取り外し可能な風防ジェット手段を有する風防ライターを提供する。【解決手段】風防ライターは、ライターハウジング（１）と、液体可燃性ガスを貯蔵するガス容器（２１）と、流入弁（２２）および放出弁（２３）を有する貯蔵室（２）と、貯蔵室からのガス供給の制御のための放出レバー（３）と、前記貯蔵室のガス流路に接続された風防ジェット手段（４）と、点火装置アセンブリと、支持シート（５）と、ブラケット（７）とを備えている。このブラケットは、前記支持シートの外周に位置するスリーブ状か、前記風防ジェット手段に接続される一側と、点火装置アセンブリが設けられる他側とを有し、前記ブラケットが取り外されるとき、前記風防ジェット手段は、前記支持シートの上方に部分的に突出し、この結果、前記風防ジェット手段が、取り外し可能に前記支持シートに取り付けられる。【選択図】図１
2005055168.tif 000002
【特許請求の範囲】
【請求項１】
ライターハウジングと、液体可燃性ガスを貯蔵するガス容器と、流入弁および放出弁を有する貯蔵室と、貯蔵室からのガス供給の制御のための放出レバーと、前記貯蔵室のガス流路に接続された風防ジェット手段と、点火装置アセンブリとを具備する風防ライターにおいて、
前記風防ジェット手段を接続するために、前記ライターハウジングに設けられた支持シートと、前記ライターハウジングおよび前記支持シート内に、あるいは、上に、取り外し可能に設けられたブラケットとをさらに具備し、前記ブラケットは、前記支持シートの外周に位置するスリーブ状か、前記風防ジェット手段に接続される一側と、点火装置アセンブリが設けられる他側とを有し、前記ブラケットが取り外されるとき、前記風防ジェット手段は、前記支持シートの上方に部分的に突出し、この結果、前記風防ジェット手段が、取り外し可能に前記支持シートに取り付けられることを特徴とする風防ライター
【請求項２】
前記支持シートは、下方端部が前記放出弁に接続されており、前記風防ジェット手段は、前記支持シートに接続され、かつ、流入口が前記支持シートの下方端部に位置されており、前記放出弁の放出口に接続されていることを特徴とする請求項１に記載の風防ライター。
【請求項３】
前記風防ジェット手段は、ねじによって前記支持シートに接続されることを特徴とする請求項１または２に記載の風防ライター。
【請求項４】
さらに、前記風防ジェット手段の前記下方端部と前記支持シートの前記下方端部との間に設けられている密封リングを備えていることを特徴とする請求項２に記載の風防ライター。
【請求項５】
ソフトパイプが、前記放出弁の前記放出口に接続され、かつ、一方の端部が前記支持シートの前記流入口に接続されていることを特徴とする請求項１、２または４に記載の風防ライター。
【請求項６】
密封リングが、前記放出弁のコアに設けられ、前記弁の前記コアが、前記支持シートの下方端部の前記流入口の方へ延在することを特徴とする請求項１、２または４に記載の風防ライター。
【請求項７】
前記点火装置アセンブリは、電子点火装置とスリーブとを備えていることを特徴とする請求項１または２に記載の風防ライター。
【請求項８】
前記点火装置アセンブリはヤスリ車と、発火石と、ばねとを備えていることを特徴とする請求項１または２に記載の風防ライター。
【発明の詳細な説明】
【技術分野】
【０００１】
本発明は、点火装置に関し、特に、風防トーチ炎を生じさせるために、燃料として液相で貯蔵される可燃性ガスを使用するライターに関する。
【背景技術】
【０００２】
一般に、市場に出ている風防ライターは、キャンドルライト炎ライターおよび風防ライターを含んでいる。これらの中で、キャンドルライト炎ライターは、目に見えるキャンドルライト炎を生じさせる。後者の風防ライターは、高温を有する強力な青い色のトーチ炎を生成し、点火速度が速いので、キャンドルライト炎ライターよりも広範囲に使用されている。まさにこの利点のために、このようなライターは、キャンドルライト炎ライターよりもいっそう複雑な構造を有している。このような風防ライターの大部分は、風防ライターの風防ガスジェット手段内に孔流路を設けることによって強力で、高温の炎を発生させることができる。出願人の以前の特許出願によって開示されている技術的解決によれば、貯蔵室からのガスは、前記孔流路を通過する時、力のあるクイックフローへ変わり、前記風防ガスジェット手段の混合チャンバ内で空気と混合後、強力な混合ガスを形成し、次に、切換ノズルから強力な混合燃料ガス流として噴出されることができ、点火後高温を有する強力なトーチ炎を発生する。
【０００３】
本発明の連続的な完全性のプロセスの間に、出願人は、孔流路の直径が小さ過ぎると、前記貯蔵室から噴出されるガスは、容易にその孔流路を閉塞することがある多少望ましくないことを必然的に含むということを発見した。高密度なメッシュが前記孔流路の前に設けられるとしても、長時間の使用、あるいは、不注意な作動により、閉塞へとなお導くことがある。そのうえ、風防ジェット手段はライター内に設置され、ユーザはそれを直すこと、あるいは、取り換えることができない。その結果、孔流路が閉塞されると、ライター全体は捨てられることになる。
【発明の開示】
【発明が解決しようとする課題】
【０００４】
本発明の目的は、取り外し可能な風防ジェット手段を有する風防ライターを提供することである。
【０００５】
本発明の更なる目的は、取り外し可能な風防ジェット手段を有することができるだけでなく、前記風防ジェット手段から噴出される燃料ガスの力のあるクイックフローの生成を保証することができる風防ライターを提供することである。
【０００６】
本発明の別の目的は、取り換え可能な点火装置アセンブリを有する風防ライターを提供することである。本発明によれば、風防ジェット手段の孔流路が閉塞される場合、ライターは、前記風防ジェット手段を簡単に取り換えることによって通常使用のために再貯蔵されることができ、それゆえ、このライターは、いっそう長い時間使用されることができる。同時に、点火装置アセンブリおよびブラケットが、独立した構造であるので、点火の故障がある場合でさえ、点火装置アセンブリは、容易に取り換えられることができる。さらに、本発明により簡素化された構造は、結果として良好なの炎を保証することができる。
【課題を解決するための手段】
【０００７】
本発明の目的は、ライターハウジングと、液体可燃性ガスを貯蔵するガス容器と、流入弁および放出弁を有する貯蔵室と、貯蔵室からのガス供給の制御のための放出レバーと、前記貯蔵室のガス流路に接続された風防ジェット手段と、点火装置アセンブリとを具備する風防ライターにおいて、前記風防ジェット手段を接続するために、前記ライターハウジングに設けられた支持シートと、前記ライターハウジングおよび前記支持シート内に、あるいは、上に、取り外し可能に設けられたブラケットとをさらに具備し、前記ブラケットは、前記支持シートの外周に位置するスリーブ状か、前記風防ジェット手段に接続される一側と、点火装置アセンブリが設けられる他側とを有し、前記ブラケットが取り外されるとき、前記風防ジェット手段は、前記支持シートの上方に部分的に突出し、この結果、前記風防ジェット手段が、取り外し可能に前記支持シートに取り付けられることを特徴とする。
【０００８】
さらに、前記支持シートは、前記放出弁に接続されるその下方端部を有し、前記風防ジェット手段が、前記支持シートに接続され、前記風防ジェット手段の流入口が、前記支持シートの下方端部のテール部分に位置され、前記放出弁の口が、前記風防ジェット手段に接続されている。前記風防ジェット手段は、ねじによって前記支持手段に接続されている。
【０００９】
さらに、密封リングが、前記支持シートの前記下方端部と前記風防ジェット手段の前記下方端部との間に設けられている。
【００１０】
前記放出弁の口は、前記支持シートの流入口にスリーブでつながれ、接続される別の端部を有するソフトパイプに接続されている。
【００１１】
前記放出弁は、前記支持シートの下方端部の前記流入口の方へ延在するその弁コアに設けられる密封リングを有し、それで密封される。
【００１２】
追加として、前記点火装置アセンブリは、電子点火装置と、スリーブ、あるいは、ヤスリ車、発火石およびばね手段とを含んでいる。
【００１３】
本発明を、以下の図面および実施形態を参照としてさらに説明する。
【発明を実施するための最良の形態】
【００１４】
図１を参照する。本発明による風防ライターは、ライターハウジング１と、液体可燃性燃料ガスを収容するガス容器２１と、放出弁２３および流入弁２２を有する貯蔵室２と、この貯蔵室２からのガス供給の制御のための放出レバー３と、前記貯蔵室２のガス流路に接続された風防ジェット手段４と、前記ライターハウジング１内に固定された点火装置アセンブリ６とを備えている。この点火装置アセンブリ６は、以下の実施形態によれば、点火装置６１とスリーブ６２とを有する電子点火装置アセンブリである。このライターは、さらに、風防ジェット手段に接続するために前記ライターハウジング１に取り付けられた支持シート５と、前記ライターハウジング１内で、この支持シート５に取り外し可能に装着されたブラケット７とを備えている。このブラケット７は、前記支持シート５の外側に一したスリーブ状の一側を有する。前記支持シートの前記風防ジェット手段４は、さらに、ブラケット７の前記一側内に部分的位置するスリーブを有し、結果として、ブラケット７の前記スリーブ状の一側の上側の風防ガス流の口７１が、前記風防ジェット手段４と対応する一方で、他側には、電子点火装置６１とスリーブ６２とが設けられている。前記ブラケット７が取り外されると、前記風防ジェット手段４は、前記支持シートの上方へと部分的に突出し、この結果、前記風防ジェット手段４は、取り外し可能に前記支持シート５に取り付けられ得る。
【００１５】
図２を参照すると、前記風防ジェット手段４の孔流路が、閉塞されるか、あるいは、異なる風防ジェット手段４の取り換えが必要な異なる形状の炎が必要とされるとき、まず前記ブラケット７が取り外され、前記風防ジェット手段４を前記支持シート５の上方に部分的に突出させる。この結果、風防ジェット手段４の一部は、手の指で摘まんで取り出され、取り換えられる。さらに、電子点火装置６１は、制限された時間だけ点火されるので、本発明に係わる電子点火装置６１は、ブラケット７が取り外されるか、ライターのコアから独立している前記ブラケット７が取り換えられた後に、後取り換えられることができる。
【００１６】
貯蔵室２の流路への風防ジェット手段４の接続が、取り換えによって悪影響を及ぼされることを防止するために、前記支持シート５は、その下方端が前記放出弁２３に接続されており、風防ジェット手段４は、取り換え後、設置の間に、前記支持シート５のクランプ締め（あるいは、配置）によって前記放出弁２３を前記風防ジェット手段４に接続するために、前記支持シート５に接続され（通常、ねじによって）、その流入口４１が支持シート５の下方端部に位置されており、放出弁２３の前記放出口に接続される。さらに、流入口４２の密封リングが、前記風防ジェット手段４の下方端部と支持シート５の下方端部との間に設けら得、したがって、放出弁２３から放出される燃料ガスは、前記風防ジェット手段４と支持シート５との間の連結部から漏出されない（図２を参照）。前記放出弁２３からの燃料ガスを着実に前記支持シート５に入らせるために、ソフトパイプ２５が、さらに、前記放出弁２３の放出コア２３１と前記支持シート５の前記流入口５１との間に設けられることができる（図４を参照）。密封リング２４が、前記支持シート５の下方端部において流入口５１の下方端部の中に延在する放出コア２３１に設けられることができ、この結果、密封リング２４は、放出コア２３１と前記支持シート５との結合部を密封し、前記放出弁２３からのガスが、前記支持シート５の下方端部を円滑に通過し、前記風防ジェット手段４に入るのを可能にしている（図３を参照）。
【００１７】
図５および図６を参照する。これら図に示されるような技術的解決は、図４によって示されるのと基本的に同じである。この解決は、本実施形態の前記点火装置アセンブリ６が、ヤスリ車６３１’と、発火石６３２’と、ばね６３３’とを有する発火石点火装置６３であるという点が異なる。前記放出弁２３の両側に、キャンドルライト炎放出パイプ４３に接続された切換流路２３２がある。さらに、前記支持シート５の上で、かつ前記ライターハウジング１内に取り外し可能に前記風防ジェット手段４に設けられたブラケット７があり、このブラケット７は、前記風防ジェット手段４に接続される一側と、点火装置アセンブリ６に取り付けられる他側とを有し、風防ジェット手段４によって発生される風防トーチ炎を噴出させ、前記風防ジェット手段４に対応する風防ガス流の口７を通る物品に点火させる。風防トーチ炎を点火する発火石点火装置６３の構造に関して、解決の好ましいモードは、前記発火石点火装置と前記風防ジェット手段４との間にキャンドルライト炎放出パイプ４３を設け、キャンドルライトガス流の口７２が、さらに、前記キャンドルライト炎放出パイプ４３の放出口に対応する前記風防ガス流の口７１の側に開口されることができる。放出弁２３が燃料ガスを放出するとき、前記ヤスリ車６３１’は、ユーザの指によって回転され、前記ばね６３３’の圧力による前記ヤスリ車６３１’と前記発火石６３２との間の摩擦が、スパークを発生し、このスパークは、先ず、キャンドルライト炎を発生させるために、ブラケット７の前記キャンドルライトガス流の口７２を通るキャンドルライト炎の放出パイプ４３からの燃料ガスを点火し、その指がさらにスイッチ８を作動するために押し下げるとき、前記スイッチ８は、前記キャンドルライト放出パイプ４３のソフトパイプを押し、前記風防ジェット手段４の方へ燃料ガスを流させる。前記パイプ４３からのキャンドルライト炎は、迅速に今風防ジェット手段４からのガス流を点火し、力のある風防トーチ炎を発生させる。
【００１８】
本発明を、図面および実施形態を参照として詳細に説明してきたが、前述の実施形態は、単に、本発明の説明のためのものであり、本発明を限定するものでなく、本発明の保護する範囲内にある様々な変更、あるいは、変形は、本発明の範囲内で行われることが可能であるということは当業者には理解されるべきである。
【図面の簡単な説明】
【００１９】
【図１】本発明の第１の実施形態の構造上の略図である。
【図２】前記点火装置アセンブリから分離されている、風防ジェット手段の構造上の略図である。
【図３】前記風防ジェット手段間の部分接続の第１の実施形態の断面構造を示す図である。
【図４】前記風防ジェット手段間の部分接続の第２の実施形態の断面構造を示す図である。
【図５】本発明の第２の実施形態の構造上の略図である。
【図６】前記ライターハウジングから分離されている、前記風防ジェット手段および前記点火装置アセンブリの例示である。
【符号の説明】
【００２０】
１…ライターハウジング；２…貯蔵室；２１…ガス容器；２２…流入弁；２３…放出弁；２３１…放出コア；２３２…切換流路；２４…放出弁コアの密封リング；２５…ソフトパイプ；３…放出制御レバー；４…風防ジェット手段；４１…風防ジェット手段の流入口；４２…流入口の密封リング；４３…キャンドルライト炎の放出パイプ；５…支持シート；５１…支持シートの流入口；６…点火装置アセンブリ；６１…電子点火装置；６２…スリーブ；６３…発火石点火装置；６３１’…ヤスリ車；６３２’…発火石；６３３’…ばね；７…風防ガス流の口；７１…風防ガス流の口；７２…キャンドルライトガス流の口；８…スイッチ。
【図１】
2005055168.tif 000003
【図２】
2005055168.tif 000004
【図３】
2005055168.tif 000005
【図４】
2005055168.tif 000006
【図５】
2005055168.tif 000007
【図６】
2005055168.tif 000008